(57)【特許請求の範囲】
【請求項１】
ヒートポンプ(３,５,６,８)を有する熱源機(１)と、
上記熱源機(１)に接続されると共に、上記ヒートポンプ(３,５,６,８)との熱交換によって得られた温水または冷水を溜めるタンク(１６)と、上記タンク(１６)内の温水または冷水を循環させる循環ポンプ(１７)とを有する冷暖房ユニット(２)と、
上記冷暖房ユニット(２)に接続されると共に、上記循環ポンプ(１７)によって循環される上記温水または上記冷水が流れる熱交換端末(Ｐ１〜Ｐ８)と、
上記循環ポンプ(１７)の回転数を制御するポンプ回転数制御部(１５a)と
を備え、
上記ポンプ回転数制御部(１５a)は、制御モードとして、上記循環ポンプ(１７)を所定の標準回転数で駆動する通常モードと、上記循環ポンプ(１７)を上記標準回転数よりも低い回転数で駆動する静音モードとを有し、
上記冷暖房ユニット(２)の外部近傍に設定されて、上記冷暖房ユニット(２)の騒音レベルを検出する騒音センサ(２５)と、
上記騒音センサ(２５)によって検出された騒音レベルが上記通常モード時の騒音レベルより低いか否かを判定し、上記判定結果に基づいて上記静音モード時における上記循環ポンプ(１７)の回転数を設定する騒音判定部(１５c)と
を備えたことを特徴とする温調システム。
【請求項２】
ヒートポンプ(３,５,６,８)を有する熱源機(１)と、
上記熱源機(１)に接続されると共に、上記ヒートポンプ(３,５,６,８)との熱交換によって得られた温水または冷水を溜めるタンク(１６)と、上記タンク(１６)内の温水または冷水を循環させる循環ポンプ(１７)とを有する冷暖房ユニット(２)と、
上記冷暖房ユニット(２)に接続されると共に、上記循環ポンプ(１７)によって循環される上記温水または上記冷水が流れる熱交換端末(Ｐ１〜Ｐ８)と、
上記循環ポンプ(１７)の回転数を制御するポンプ回転数制御部(１５a)と
を備え、
上記ポンプ回転数制御部(１５a)は、制御モードとして、上記循環ポンプ(１７)を所定の標準回転数で駆動する通常モードと、上記循環ポンプ(１７)を上記標準回転数よりも低い回転数で駆動する静音モードとを有し、
上記循環ポンプ(１７)から上記熱交換端末(Ｐ１〜Ｐ８)に供給される上記温水または上記冷水の流量を検出する流量センサ(Ｆ１〜Ｆ８)と、
上記流量センサ(Ｆ１〜Ｆ８)によって検出された流量が、上記熱交換端末(Ｐ１〜Ｐ８)の冷暖房能力の設定値に対応する流量を満たすか否かを判定し、上記判定結果に基づいて上記静音モード時における上記循環ポンプ(１７)の回転数を設定する流量判定部(１５d)と
を備えたことを特徴とする温調システム。
【請求項３】
請求項１に記載の温調システムにおいて、
上記循環ポンプ(１７)から上記熱交換端末(Ｐ１〜Ｐ８)に供給される上記温水または上記冷水の流量を検出する流量センサ(Ｆ１〜Ｆ８)と、
上記流量センサ(Ｆ１〜Ｆ８)によって検出された流量が、上記熱交換端末(Ｐ１〜Ｐ８)の冷暖房能力の設定値に対応する流量を満たすか否かを判定し、上記判定結果に基づいて上記静音モード時における上記循環ポンプ(１７)の回転数を設定する流量判定部(１５d)と
を備えたことを特徴とする温調システム。
【請求項４】
請求項１から請求項３までの何れか一つに記載の温調システムにおいて、
上記ポンプ回転数制御部(１５a)による上記静音モード時に、上記循環ポンプ(１７)の回転数を複数段階に設定する回転数設定部(１５b)を
備えたことを特徴とする温調システム。
【請求項５】
請求項１から請求項４までの何れか一つに記載の温調システムにおいて、
上記冷暖房ユニット(２)は、熱源機(１)と分離されると共に、屋内に設置されることを特徴とする温調システム。
【発明の詳細な説明】
【技術分野】
【０００１】
この発明は、温調システムに関し、詳しくは、温水を利用した暖房運転または冷水を利用した冷房運転のうちの少なくとも一方を行う温調システムに関する。
【背景技術】
【０００２】
従来、温調システムとして、特開２００４‐２０００８号公報(特許文献１)に開示されているように、床暖房パネルと熱源機との間で循環ポンプを介して温水を循環させて暖房を行う温水床暖房装置がある。
【０００３】
上記温水床暖房装置においては、遠隔操作器からの制御信号を受けて、熱源機に伝達するための中継器を備え、上記中継器の室温検出サーミスタによって室内温度を検出する。そして、上記中継器のマイコンによる上記熱源機の制御によって、設定温度と室内温度との偏差に基づいて、室内温度が設定温度になるように床暖房パネルへの温水供給量を制御するようにしている。
【先行技術文献】
【特許文献】
【０００４】
【特許文献１】特開２００４‐２０００８号公報
【発明の概要】
【発明が解決しようとする課題】
【０００５】
しかしながら、上記従来の温水床暖房装置には、以下のような問題がある。
【０００６】
すなわち、上記従来の温水床暖房装置においては、設定温度と室内温度との偏差に基づく上記温水供給量の制御は、上記中継器のマイコンによって、上記熱源機の熱動弁のオン時間とオフ時間とを計算し、上記熱源機のマイコンを介して上記熱動弁の開閉を制御することによって行われる。その間、上記熱源機の循環ポンプは、運転開始時に設定された一定回転数で継続して運転されるようになっている。
【０００７】
通常は、上記床暖房パネル,上記遠隔操作器および上記中継器は屋内に設置され、上記熱源機は屋外に設置される。一方、寒冷地では、循環水の凍結防止や装置の保護やメンテナンス性から、上記熱源機も屋内に設置するのが一般的になってきている。
【０００８】
ところが、通常は屋外に設置される上記熱源機には設計上殆ど騒音対策は行われておらず、然も上述のように、上記循環ポンプは、運転開始時に設定された一定回転数で継続して運転される。したがって、上記熱源機をそのまま屋内に設置した場合には、特に上記循環ポンプの回転騒音がユーザにとって大きな問題となる。
【０００９】
また、温熱または冷熱を生成する熱源を有する熱源ユニットと、上記熱源との熱交換によって温水または冷水を生成する温水ユニットとを別体に設けた温調システムがある。このような温調システムでも、寒冷地では上記温水ユニットを屋内に設置するのが一般的になってきている。その場合には、上記特許文献１に開示された温水床暖房装置と同様に、上記温水ユニットに設けられる循環ポンプは一定回転数で運転される。そのため、上記循環ポンプの回転騒音がユーザにとって大きな問題となる。
【００１０】
そこで、この発明の課題は、屋内に設置した場合の騒音を低減できる温調システムを提供することにある。
【課題を解決するための手段】
【００１１】
上記課題を解決するため、この発明の温調システムは、
ヒートポンプを有する熱源機と、
上記熱源機に接続されると共に、上記ヒートポンプとの熱交換によって得られた温水または冷水を溜めるタンクと、上記タンク内の温水または冷水を循環させる循環ポンプとを有する冷暖房ユニットと、
上記冷暖房ユニットに接続されると共に、上記循環ポンプによって循環される上記温水または上記冷水が流れる熱交換端末と、
上記循環ポンプの回転数を制御するポンプ回転数制御部と
を備え、
上記ポンプ回転数制御部は、制御モードとして、上記循環ポンプを所定の標準回転数で駆動する通常モードと、上記循環ポンプを上記標準回転数よりも低い回転数で駆動する静音モードとを有し、
上記冷暖房ユニットの外部近傍に設定されて、上記冷暖房ユニットの騒音レベルを検出する騒音センサと、
上記騒音センサによって検出された騒音レベルが上記通常モード時の騒音レベルより低いか否かを判定し、上記判定結果に基づいて上記静音モード時における上記循環ポンプの回転数を設定する騒音判定部と
を備えた
ことを特徴としている。
【００１２】
上記循環ポンプの回転数を４０００rpmから１割低下することによって騒音を１dＢ下げることができる。そして、３０dＢ以下での１dＢの差異はユーザーにとって分かり易く、循環ポンプの回転数低下は、上記循環ポンプの騒音低下に非常に有効である。
【００１３】
上記構成によれば、上記循環ポンプの回転数を制御するポンプ回転数制御部は、制御モードとして、上記循環ポンプを標準回転数で駆動する通常モードと、上記循環ポンプを上記標準回転数よりも低い回転数で駆動する静音モードとを有している。したがって、上記制御モードを上記静音モードに設定することによって、上記循環ポンプの騒音、延いては上記冷暖房ユニットの騒音レベルを通常モードの場合よりも低下させることができる。
【００１４】
すなわち、この発明によれば、寒冷地等において上記冷暖房ユニットが屋内に設置された場合における室内騒音を低減することが可能になる。
また、上記構成によれば、上記騒音判定部によって、検出された騒音レベルが上記通常モード時の騒音レベルより低いか否かの判定結果に基づいて、上記静音モード時における上記循環ポンプの回転数を設定するようにしている。したがって、上記騒音センサによって検出された上記冷暖房ユニットの実際の騒音レベルをフィードバックして、上記冷暖房ユニットの騒音レベルを上記通常モード時よりも確実に低くすることができる。
【００１５】
また、一実施の形態の温調システムでは、
上記ポンプ回転数制御部による上記静音モード時に、上記循環ポンプの回転数を複数段階に設定する回転数設定部を
備えている。
【００１６】
この実施の形態によれば、上記回転数設定部によって、上記循環ポンプの回転数を複数段階に設定することができる。したがって、上記ポンプ回転数制御部による上記静音モード時において、設置作業員やユーザーとの対話によって、上記冷暖房ユニットの騒音レベルを段階的に下降/上昇させることが可能になり、設置作業員やユーザーが所望する騒音レベルに設定することができる。
【００１７】
すなわち、寒冷地等において上記冷暖房ユニットを屋内に設置した場合における騒音レベルを、よりきめ細かく低減することできる。
【００１８】
【００１９】
【００２０】
また、この発明の温調システムは、
ヒートポンプを有する熱源機と、
上記熱源機に接続されると共に、上記ヒートポンプとの熱交換によって得られた温水または冷水を溜めるタンクと、上記タンク内の温水または冷水を循環させる循環ポンプとを有する冷暖房ユニットと、
上記冷暖房ユニットに接続されると共に、上記循環ポンプによって循環される上記温水または上記冷水が流れる熱交換端末と、
上記循環ポンプの回転数を制御するポンプ回転数制御部と
を備え、
上記ポンプ回転数制御部は、制御モードとして、上記循環ポンプを所定の標準回転数で駆動する通常モードと、上記循環ポンプを上記標準回転数よりも低い回転数で駆動する静音モードとを有し、
上記循環ポンプから上記熱交換端末に供給される上記温水または上記冷水の流量を検出する流量センサと、
上記流量センサによって検出された流量が、上記熱交換端末の冷暖房能力の設定値に対応する流量を満たすか否かを判定し、上記判定結果に基づいて上記静音モード時における上記循環ポンプの回転数を設定する流量判定部と
を備えた
ことを特徴としている。
【００２１】
この発明によれば、上記流量判定部によって、検出された上記熱交換端末に供給される流量が、上記熱交換端末の冷暖房能力の設定値に対応する流量を満たすか否かの判定結果に基づいて、上記静音モード時における上記循環ポンプの回転数を設定するようにしている。したがって、上記循環ポンプの回転数が上記静音モード時の回転数または上記通常モード時の騒音レベルよりも低い回転数に設定された場合における上記熱交換端末への流量を保証することができる。
【００２２】
また、一実施の形態の温調システムでは、
上記冷暖房ユニットは、熱源機と分離されると共に、屋内に設置される。
【００２３】
この実施の形態によれば、寒冷地等において上記冷暖房ユニットを屋内に設置した場合に、上記循環ポンプの回転に伴って発生する上記冷暖房ユニットの室内騒音を、低減することができる。
【発明の効果】
【００２４】
以上より明らかなように、この発明の温調システムは、上記循環ポンプの回転数を制御するポンプ回転数制御部は、制御モードとして、上記循環ポンプを標準回転数で駆動する通常モードと、上記循環ポンプを上記標準回転数よりも低い回転数で駆動する静音モードとを有している。
【００２５】
したがって、上記制御モードを上記静音モードに設定することによって、上記循環ポンプの騒音、延いては上記冷暖房ユニットの騒音レベルを、通常モードの場合よりも低下させることができる。
【００２６】
すなわち、この発明によれば、寒冷地等において上記冷暖房ユニットが屋内に設置された場合における室内騒音を低減することが可能になる。
【図面の簡単な説明】
【００２７】
【図１】この発明の温調システムにおける概略構成図である。
【図２】リモートコントローラの概略正面図である。
【図３】静音モード指定時における表示部の表示内容の変遷を示す図である。
【図４】図１における騒音センサの屋内での配置位置を例示する図である。
【発明を実施するための形態】
【００２８】
以下、この発明を図示の実施の形態により詳細に説明する。
【００２９】
図１は、本実施の形態の温調システムにおける概略構成図である。
【００３０】
〔温調システムの全体構成〕
上記温調システムは、熱源機１と、この熱源機１に接続された床冷暖房ユニット２と、この床冷暖房ユニット２に接続された第１〜第８床冷暖房パネルＰ１〜Ｐ８とを備えている。
【００３１】
〔熱源機１の構成〕
上記熱源機１は、圧縮機３と、四路切換弁４と、室外熱交換器５と、電動膨張弁６と、アキュムレータ７とを有している。そして、電動膨張弁６の一端には室外熱交換器５の一端が接続される一方、他端には床冷暖房ユニット２の水熱交換器８の一端が接続されている。また、四路切換弁４の第１ポート４aは圧縮機３の吐出側に接続されている。また、四路切換弁４の第２ポート４bは室外熱交換器５の他端に接続されている。また、四路切換弁４の第３ポート４cは、アキュムレータ７を介して圧縮機３の吸入側に接続されている。また、四路切換弁４の第４ポート４dは、床冷暖房ユニット２の水熱交換器８の他端に接続されている。この水熱交換器８には、プレート式水熱交換器を用いている。
【００３２】
上記圧縮機３と室外熱交換器５と電動膨張弁６と水熱交換器８とで、上記ヒートポンプを構成している。
【００３３】
暖房運転時においては、上記四路切換弁４を実線の切換位置に切り換えて、第１ポート４aと第４ポート４dとの間を連通させると共に、第２ポート４bと第３ポート４cとの間を連通させる。
【００３４】
一方、冷房運転時においては、上記四路切換弁４を点線の切換位置に切り換えて、第１ポート４aと第２ポート４bとの間を連通させると共に、第３ポート４cと第４ポート４dとの間を連通させる。
【００３５】
また、上記熱源機１は、第１〜第４温度センサ９〜１２と、室外温度センサ１３と、第１〜第４温度センサ９〜１２で検出された冷媒温度および室外温度センサ１３で検出された室外温度を表す信号を受ける熱源機用制御装置１４とを有している。第１〜第４温度センサ９〜１２と室外温度センサ１３とは、例えばサーミスタで構成されている。
【００３６】
上記第１温度センサ９は、電動膨張弁６と水熱交換器８との間の冷媒温度を検出する。第２温度センサ１０は、四路切換弁４の第４ポート４dと水熱交換器８との間の冷媒温度を検出する。第３温度センサ１１は、圧縮機３と四路切換弁４の第１ポート４aとの間の冷媒温度を検出する。第４温度センサ１２は、室外熱交換器５内の冷媒温度を検出するために、室外熱交換器５に取り付けられている。室外温度センサ１３は、外気温度を検出するために、室外熱交換器５の近傍に配置されている。
【００３７】
上記熱源機用制御装置１４は、インバータ(図示せず)を介して、圧縮機３の運転周波数を制御する。さらに、熱源機用制御装置１４は、水熱交換器８および室外熱交換器５の熱交換効率が最適となるように、電動膨張弁６の開度をも制御する。また、熱源機用制御装置１４は、信号線(図示せず)を介して、床冷暖房ユニット用制御装置１５に接続されている。こうして、熱源機用制御装置１４と床冷暖房ユニット用制御装置１５とは、互いに協調動作するようになっている。
【００３８】
また、上記室外熱交換器５と圧縮機３と水熱交換器８と電動膨張弁６とは互いに環状に接続されて、冷媒循環回路を構成している。
【００３９】
また、図示しないが、上記室外熱交換器５の近傍には室外ファンが配置されている。この室外ファンが室外熱交換器５に送風を行う。
【００４０】
〔床冷暖房ユニット２の構成〕
上記冷暖房ユニットの一例である床冷暖房ユニット２は、上記水熱交換器８と、膨張タンク１６と、循環ポンプ１７と、往きヘッダ１８と、戻りヘッダ１９とを有している。
【００４１】
上記水熱交換器８には、熱源機１からの冷媒が流れる流路と、第１〜第８床冷暖房パネルＰ１〜Ｐ８からの戻り水が流れる流路とが設けられており、上記冷媒と上記水との熱交換を行うことが可能になっている。つまり、水熱交換器８は、凝縮器または蒸発器として機能するのである。こうして、水熱交換器８によって、所望の温度の温水または冷水が生成される。
【００４２】
上記タンクの一例である膨張タンク１６は、正負圧弁が付いており、水熱交換器８からの温水(または冷水)が溜まる。また、膨張タンク１６の上部には給水口１６aが設けられており、給水口１６aから膨張タンク１６内に水が必要時に補充される。
【００４３】
上記循環ポンプ１７は、吸入側が膨張タンク１６に接続されている一方、吐出側が往きヘッダ１８に接続されている。こうして、循環ポンプ１７は、水熱交換器８を通過する冷媒と熱交換した温水(または冷水)を第１〜第８床冷暖房パネルＰ１〜Ｐ８に送ることができるようになっている。
【００４４】
また、上記往きヘッダ１８には、第１〜第８熱動弁Ｖ１〜Ｖ８の一端と、水抜き栓Ｖ９の一端とが接続されている。さらに、第１〜第８熱動弁Ｖ１〜Ｖ８の他端には、第１〜第８床冷暖房パネルＰ１〜Ｐ８の水入口が接続されている。また、第１〜第８熱動弁Ｖ１〜Ｖ８の下流には、第１〜第８流量センサＦ１〜Ｆ８が設置されている。尚、第１〜第８熱動弁Ｖ１〜Ｖ８は、第１〜第８床冷暖房パネルＰ１〜Ｐ８に温水(または冷水)を供給するための流路を開閉する。
【００４５】
上記第１〜第８熱動弁Ｖ１〜Ｖ８は、温水(または冷水)の流れを制御する。すなわち、第１〜第８熱動弁Ｖ１〜Ｖ８は、床冷暖房ユニット用制御装置１５によって制御されて、第１〜第８床冷暖房パネルＰ１〜Ｐ８の冷暖房能力設定に対応する開閉動作を行うのである。
【００４６】
上記第１〜第８流量センサＦ１〜Ｆ８の夫々は、対応する第１〜第８熱動弁Ｖ１〜Ｖ８から第１〜第８床冷暖房パネルＰ１〜Ｐ８の第１〜第８水循環パイプ３１〜３８への温水(または冷水)の流量を検出し、検出流量を表す信号を床冷暖房ユニット用制御装置１５に送出する。
【００４７】
また、上記戻りヘッダ１９には、第１〜第８床冷暖房パネルＰ１〜Ｐ８の水出口が接続されている。こうして、第１〜第８床冷暖房パネルＰ１〜Ｐ８の温水(または冷水)が、床冷暖房ユニット２に戻り、水循環回路２０を循環するようになっている。
【００４８】
また、上記床冷暖房ユニット２は、第１,第２水温センサ２１,２２と、冷媒温度センサ２３と、冷媒圧センサ２４と、騒音センサ２５と、上記床冷暖房ユニット用制御装置１５とを有している。第１,第２水温センサ２１,２２と冷媒温度センサ２３とは、例えばサーミスタで構成されている。
【００４９】
上記第１水温センサ２１は、上記膨張タンク１６から往きヘッダ１８へ向かって流れる温水(または冷水)の温度を検出し、検出温度を表す信号を床冷暖房ユニット用制御装置１５に送出する。
【００５０】
上記第２水温センサ２２は、上記戻りヘッダ１９から水熱交換器８へ向かって流れる温水(または冷水)の温度を検出し、検出温度を表す信号を床冷暖房ユニット用制御装置１５に送出する。
【００５１】
上記冷媒温度センサ２３は、上記電動膨張弁６と水熱交換器８の上記一端とを接続する冷媒配管における水熱交換器８の近傍に配置されている。この冷媒温度センサ２３は、電動膨張弁６と水熱交換器８の間の冷媒の温度を検出し、検出温度を表す信号を床冷暖房ユニット用制御装置１５に送出する。
【００５２】
上記冷媒圧センサ２４は、上記四路切換弁４と水熱交換器８の上記他端とを接続する冷媒配管における水熱交換器８の近傍に配置されている。そして、冷媒圧センサ２４は、四路切換弁４の第４ポート４dと水熱交換器８との間の冷媒の圧力を検出し、検出圧力を表す信号を床冷暖房ユニット用制御装置１５に送出する。
【００５３】
上記騒音センサ２５は、図４に示すように、屋内における上記床冷暖房ユニット２の近傍であって、床冷暖房ユニット２のケーシングＣの外側に配置されている。そして、騒音センサ２５は、床冷暖房ユニット２の騒音、特に循環ポンプ１７の騒音を検出し、検出値を床冷暖房ユニット用制御装置１５に送出する。
【００５４】
尚、上記騒音センサ２５は、本温調システムの設置時にのみ設定しても構わない。
【００５５】
また、上記床冷暖房ユニット用制御装置１５は、リモートコントローラ２６(図２参照)から、第１〜第８床冷暖房パネルＰ１〜Ｐ８の冷暖房能力設定を表す信号を受信する。さらに、床冷暖房ユニット用制御装置１５は、リモートコントローラ２６からの信号等に基づいて、循環ポンプ１７および第１〜第８熱動弁Ｖ１〜Ｖ８等を制御する。
【００５６】
〔第１〜第８床冷暖房パネルＰ１〜Ｐ８の構成〕
上記熱交換端末の一例としての第１〜第８床冷暖房パネルＰ１〜Ｐ８は、第１〜第８熱動弁Ｖ１〜Ｖ８からの温水(または冷水)の供給を受けて、温調ゾーンの冷暖房を行う。すなわち、第１〜第８床冷暖房パネルＰ１〜Ｐ８は、蛇行形状に形成された第１〜第８水循環パイプ３１〜３８を有している。そして、第１〜第８水循環パイプ３１〜３８内を、水熱交換器８からの温水(または冷水)が流れる。尚、第１〜第８水循環パイプ３１〜３８の上流側における端部が、第１〜第８床冷暖房パネルＰ１〜Ｐ８の水入口を形成している。また、第１〜第８水循環パイプ３１〜３８の下流側における端部が、第１〜第８床冷暖房パネルＰ１〜Ｐ８の水出口を形成している。
【００５７】
ここで、上記温調ゾーンとは、第１〜第８水循環パイプ３１〜３８から温熱または冷熱が供給される空間を指す。
【００５８】
図２は上記リモートコントローラ２６の概略正面図を示している。リモートコントローラ２６は、操作部４１と、この操作部４１上に設けられた表示部４２とを有している。
【００５９】
上記操作部４１は、ゾーン選択ボタン４３、表示切替ボタン４４、運転/停止ボタン４５、戻るボタン４６、メニュー/決定ボタン４７、上ボタン４８、下ボタン４９、右ボタン５０、および左ボタン５１を有している。ユーザーがゾーン選択ボタン４３,…左ボタン５１を操作すると、この操作に応じた操作信号が床冷暖房ユニット用制御装置１５(図１参照)に出力される。すなわち、床冷暖房ユニット用制御装置１５は、リモートコントローラ２６の操作部４１から、ユーザーの操作に対応する操作信号を受信するのである。
【００６０】
本温調システムに対して電源が投入されると、図２に示すように、表示部４２には、基本画面が表示される。この基本画面には、第１〜第８床冷暖房パネルＰ１〜Ｐ８(図１参照)のうちの少なくとも１つの床冷暖房パネルに関わる情報を表示させることが可能である。また、第１〜第８床冷暖房パネルＰ１〜Ｐ８に関わる複数の情報を同時に表示させることも可能である。ここで、上記情報とは、第１〜第８床冷暖房パネルＰ１〜Ｐ８が運転している否かを示す情報と、第１〜第８床冷暖房パネルＰ１〜Ｐ８のタイマー運転が設定されているか否かを示す情報と、第１〜第８床冷暖房パネルＰ１〜Ｐ８の運転モードを示す情報と、第１〜第８床冷暖房パネルＰ１〜Ｐ８の冷暖房能力の設定の情報とのうちの少なくとも１つを指す。
【００６１】
以下、上記構成の温調システムにおいて、本実施の形態の特徴である屋内に設置された場合の騒音低減について説明する。ここで、以下においては、上記床冷暖房ユニット２が屋内に設置されることを前提に説明するが、この発明はそれに限定されるものではない。熱源機１と床冷暖房ユニット２とを共に屋外に設置しても、熱源機１を屋外に床冷暖房ユニット２を屋内に設置しても、熱源機１と床冷暖房ユニット２とを共に屋内に設置しても一向に構わない。
【００６２】
寒冷地等において、上記床冷暖房ユニット２が屋内に設置された場合には、床冷暖房ユニット２から第１〜第８床冷暖房パネルＰ１〜Ｐ８までの温水(または冷水)の配管の長さは屋外に設置する場合よりも短くできる。したがって、上記配管内における温水(または冷水)の抵抗が少なくなり、その分だけ循環ポンプ１７に求められる揚程が下がるため、循環ポンプ１７の回転数を下げることが可能になる。尚、循環ポンプ１７における回転数の低下は、循環ポンプ１７の騒音低下に非常に効果的である。例えば、循環ポンプ１７の回転数が４０００rpmでの騒音は２９dＢ程度であり、回転数を３６００rpmに１割低下することによって騒音を２８dＢ程度に１dＢ下げることができる。３０dＢ以下での１dＢの差異は、ユーザーにとっては分かり易い。
【００６３】
そこで、本実施の形態においては、本温調システムを現地で設置する場合に、静音モードを指定することによって、循環ポンプ１７の回転数を通常モードの場合よりも低下させて通常モードでの騒音レベルよりも１dＢ程度下げるのである。
【００６４】
上記構成の温調システムにおいて、上記床冷暖房ユニット用制御装置１５は、マイクロコンピュータおよび入出力回路等を含んで構成されている。
【００６５】
この床冷暖房ユニット用制御装置１５は、図１に示すように、現地において設置作業員が上記「静音モード」を指定した場合に、循環ポンプ１７の回転数を通常モードの回転数よりも低い回転数に制御するポンプ回転数制御部１５aと、静音モード時における循環ポンプ１７の回転数をリモートコントローラ２６からの指示に応じて複数段階に設定する回転数設定部１５bと、騒音センサ２５からの信号に基づいて床冷暖房ユニット２の騒音を判定する騒音判定部１５cと、第１〜第８流量センサＦ１〜Ｆ８からの上記信号に基づいて第１〜第８水循環パイプ３１〜３８への流量を判定する流量判定部１５dとを備えている。
【００６６】
上記ポンプ回転数制御部１５aと回転数設定部１５bと騒音判定部１５cと流量判定部１５dとは、ソフトウェアで構成されている。尚、回転数設定部１５bはポンプ回転数制御部１５aに包含されて、サブプログラムであることを表している。
【００６７】
次に、上記設置作業員が上記「静音モード」を指定する場合のリモートコントローラ２６の操作について図２および図３に従って説明する。但し、以下に述べるリモートコントローラ２６の操作方法は一例であり、最終的に上記「静音モード」が指定される操作方法であれば如何様な操作方法であっても差し支えない。
【００６８】
図２において、上記表示部４２に基本画面が表示されている状態のリモートコントローラ２６に対して、戻るボタン４６を先に押しつつ表示切替ボタン４４を予め設定された時間だけ長押しすることによって、表示部４２の表示が図３(a)に示すような「現地設定メニュー」画面に切り替わる。さらに、上ボタン４８または下ボタン４９の操作によって、「現地設定メニュー」から「その他設定」を決定して選択すると、図３(b)に示すような「その他設定メニュー」画面に切り替わる。さらに、上ボタン４８または下ボタン４９の操作によって、「その他設定メニュー」から「静音モード設定」を決定して選択すると、図３(c)に示すような「静音モード設定メニュー」画面に切り替わる。この状態で、右ボタン５０または左ボタン５１の操作によって、「静音モード設定メニュー」から「入」を決定して選択すると、「静音モード」が選択されたことを表す信号が床冷暖房ユニット用制御装置１５に送出される。
【００６９】
そうすると、上記床冷暖房ユニット用制御装置１５は、ポンプ回転数制御部１５aのプログラムを起動して、以下のようなポンプ回転数制御を実行する。
【００７０】
すなわち、上記ポンプ回転数制御部１５aは、循環ポンプ１７の回転数を、通常モードの回転数よりも騒音レベルが１dＢ程度低くなるように予め設定されて上記マイクロコンピュータのメモリ等に格納された「静音モード回転数」に設定するのである。
【００７１】
こうして、上記ポンプ回転数制御部１５aによって、循環ポンプ１７の回転数が「静音モード回転数」に設定されると、床冷暖房ユニット用制御装置１５は、騒音判定部１５cのプログラムを起動して、以下のような騒音判定を実行する。
【００７２】
すなわち、上記騒音判定部１５cは、騒音センサ２５からの信号に基づいて床冷暖房ユニット２の騒音を検知する。そして、床冷暖房ユニット２の騒音レベルが実際に通常モード時の騒音レベルよりも低いか否か判定する。そして、通常モード時の騒音レベルよりも高い場合には、ポンプ回転数制御部１５aに対して１段階の回転数低下を指示する。以上の動作が、騒音レベルが通常モード時の騒音レベルよりも低くなるまで繰り返される。ここで、上記１段階における回転数の低下量は、予め設定されて上記メモリ等に格納されている。
【００７３】
こうして、上記ポンプ回転数制御部１５aおよび騒音判定部１５cによって、循環ポンプ１７の回転数が通常モード時の騒音レベルよりも低く設定されると、床冷暖房ユニット用制御装置１５は、流量判定部１５dのプログラムを起動して、以下のような流量判定を実行する。
【００７４】
すなわち、上記流量判定部１５dは、第１〜第８流量センサＦ１〜Ｆ８からの第１〜第８水循環パイプ３１〜３８への温水(または冷水)の流量を表す信号に基づいて、第１〜第８水循環パイプ３１〜３８への流量を順次個別に検知する。そして、第１〜第８水循環パイプ３１〜３８への個別の流量が、第１〜第８床冷暖房パネルＰ１〜Ｐ８の上記冷暖房能力設定に対応する流量を満たしているか否かを判定する。その結果、満たしていない水循環パイプがある場合には、表示部４２に、第１〜第８水循環パイプ３１〜３８への流量が上記冷暖房能力設定を満たしていないことを表示すると共に、ポンプ回転数制御部１５aに対して１段階の回転数上昇を指示する。以上の動作が、全ての第１〜第８水循環パイプ３１〜３８への流量が上記冷暖房能力設定を満たすまで繰り返す。ここで、上記１段階における回転数の上昇量は、予め設定されて上記メモリ等に格納されている。
【００７５】
尚、上述の説明では、上記冷暖房能力設定に対応する流量を満たしていない場合には、自動的に循環ポンプ１７の回転数を１段階上昇するようにしている。しかしながら、これに限定されるものではなく、表示部４２への表示のみに止め、循環ポンプ１７の回転数を上昇するか否かは設置作業員の判断にゆだねるようにしてもよい。
【００７６】
以上のごとく、本実施の形態によれば、設置作業員が上記リモートコントローラ２６の操作によって上記「静音モード」を指定すると、床冷暖房ユニット２の床冷暖房ユニット用制御装置１５によってポンプ回転数制御部１５aのプログラムが起動される。そして、循環ポンプ１７の回転数が、通常モードの回転数よりも騒音レベルが１dＢ程度低くなるように予め設定された「静音モード回転数」に設定される。したがって、床冷暖房ユニット２の騒音レベルを１dＢ程度低くすることができ、寒冷地等において床冷暖房ユニット２が屋内に設置された場合における騒音を低減することできる。
【００７７】
さらに、上記循環ポンプ１７の回転数が「静音モード回転数」に設定されると、床冷暖房ユニット用制御装置１５により騒音判定部１５cのプログラムが起動される。そして、床冷暖房ユニット２の騒音が検知され、床冷暖房ユニット２の騒音レベルが通常モード時の騒音レベルよりも低いか否かが判定される。そして、通常モード時の騒音レベルよりも高い場合には、通常モード時の騒音レベルよりも低くなるまでポンプ回転数制御部１５aに対して複数段階に回転数低下を指示する。したがって、騒音センサ２５からの信号に基づく床冷暖房ユニット２の実際の騒音レベルをフィードバックして、床冷暖房ユニット２の騒音レベルを通常モード時の騒音レベルよりも確実に低くすることができる。
【００７８】
さらに、上記循環ポンプ１７の回転数が通常モード時の騒音レベルよりも低く設定されると、床冷暖房ユニット用制御装置１５によって流量判定部１５dのプログラムが起動される。そして、第１〜第８水循環パイプ３１〜３８への各流量が検知され、第１〜第８床冷暖房パネルＰ１〜Ｐ８の上記冷暖房能力設定に対応する流量を満たしているか否かが判定される。そして、満たしていない水循環パイプがある場合には、上記流量を満たすまでポンプ回転数制御部１５aに対して複数段階に回転数上昇を指示する。したがって、循環ポンプ１７の回転数が「静音モード回転数」または「通常モード時の騒音レベルよりも低い回転数」に設定された場合における第１〜第８水循環パイプ３１〜３８への流量を保証することができる。
【００７９】
尚、上記第１実施の形態においては、上記ポンプ回転数制御部１５aの動作が行われ、騒音判定部１５cの動作が行われた後に、流量判定部１５dの動作が行われるようにしている。しかしながら、ポンプ回転数制御部１５aの動作が行われた後に、騒音判定部１５cの動作を行うこと無く流量判定部１５dの動作を行うようにしても一向に差し支えない。
【００８０】
上述したように、本実施の形態によれば、設置作業員が上記リモートコントローラ２６の操作によって上記「静音モード」を指定すると、循環ポンプ１７の回転数を上記「静音モード回転数」に設定するようにしている。
【００８１】
しかしながら、この発明においては、ユーザーによる騒音レベルの入力に応じて循環ポンプ１７の回転数を制御可能にすることも可能である。
【００８２】
以下、ユーザーによって指定された騒音レベルに応じて循環ポンプ１７の回転数を制御する変形例について、説明する。
【００８３】
先ず、ユーザーによって上記リモートコントローラ２６が操作されて、上記「静音モード」が指定される。その場合におけるリモートコントローラ２６の操作方法は、上記設置作業員の場合と同じであってもよいし、異なる操作方法であってもよい。
【００８４】
こうして上記「静音モード」が指定されると、上記床冷暖房ユニット用制御装置１５によってポンプ回転数制御部１５aのプログラムが起動されて、上述した上記設置作業員による「静音モード」の指定の場合と同様に、循環ポンプ１７の回転数が、通常モードの回転数よりも騒音レベルが１dＢ程度低くなるように予め設定された「静音モード回転数」に設定される。そして、リモートコントローラ２６の表示部４２には、例えば、騒音センサ２５からの信号に基づく現在の床冷暖房ユニット２の騒音レベルと、騒音レベルの変更方法のガイド等を表示する。
【００８５】
その状態で、ユーザーが、上記変更方法のガイドに従って、例えば、下ボタン４８を一回操作する毎に、床冷暖房ユニット用制御装置１５によって回転数設定部１５bのサブプログラムが起動されて、循環ポンプ１７の回転数が、上記「静音モード回転数」よりも騒音レベルが１dＢ程度低くなるように予め設定された回転数である「１段下回転数」に変更される。そして、表示部４２には、例えば、変更された上記「１段下回転数」での床冷暖房ユニット２の騒音レベルが表示される。
【００８６】
さらに、上記床冷暖房ユニット用制御装置１５によって、上記流量判定部１５dのプログラムが起動されて、上述のように第１〜第８水循環パイプ３１〜３８への流量が検知される。そして、第１〜第８床冷暖房パネルＰ１〜Ｐ８の上記冷暖房能力設定に対応する流量を満たしていない場合には、表示部４２に、第１〜第８水循環パイプ３１〜３８への流量が上記冷暖房能力設定を満たしていないことを表示する。
【００８７】
そして、ユーザーが、上記表示に呼応して、上ボタン４８を一回操作する毎に、床冷暖房ユニット用制御装置１５によって回転数設定部１５bのサブプログラムが起動されて、循環ポンプ１７の回転数が、現在の騒音レベルよりも騒音レベルが１dＢ程度高くなるように予め設定された回転数である「１段上回転数」に変更される。そして、表示部４２には、例えば、変更された上記「１段下回転数」での床冷暖房ユニット２の騒音レベルが表示される。
【００８８】
そして、ユーザーによって上記リモートコントローラ２６の戻るボタン４６が操作されると、表示部４２の表示が上記基本画面に戻る。
【００８９】
以上のごとく、本変形例によれば、ユーザーが上記リモートコントローラ２６の操作によって上記「静音モード」を指定すると、床冷暖房ユニット２の床冷暖房ユニット用制御装置１５によってポンプ回転数制御部１５aのプログラムが起動される。そして、循環ポンプ１７の回転数が、上記「静音モード回転数」に設定される。
【００９０】
さらに、ユーザーが、例えば、下ボタン４８を一回操作する毎に、床冷暖房ユニット用制御装置１５によって回転数設定部１５bのサブプログラムが起動されて、循環ポンプ１７の回転数が、上記「静音モード回転数」よりも騒音レベルが１dＢ程度低くなるように設定された上記「１段下回転数」に変更される。
【００９１】
さらに、上記床冷暖房ユニット用制御装置１５によって、上記流量判定部１５dのプログラムが起動されて、第１〜第８床冷暖房パネルＰ１〜Ｐ８の上記冷暖房能力設定に対応する流量を満たしているか否かの判定と、満たしていない場合の表示部４２への表示が行われる。
【００９２】
ユーザーが、上記表示に呼応して、上ボタン４８を一回操作する毎に、床冷暖房ユニット用制御装置１５によって回転数設定部１５bのサブプログラムが起動されて、循環ポンプ１７の回転数が、現在の騒音レベルよりも騒音レベルが１dＢ程度高くなるように設定された上記「１段上回転数」に変更される。
【００９３】
したがって、本変形例によれば、ユーザーとの対話によって、床冷暖房ユニット２の騒音レベルを例えば１dＢ程度ずつ段階的に下降/上昇させることができ、ユーザーが所望する騒音レベルであり、且つ設定された第１〜第８床冷暖房パネルＰ１〜Ｐ８の冷暖房能力を満たすように低くすることができる。すなわち、寒冷地等において床冷暖房ユニット２が屋内に設置された場合における騒音を、よりきめ細かく低減することできる。
【００９４】
上記変形例においては、上記騒音判定部１５cの動作による処理を行わないようになっている。しかしながら、騒音判定部１５cの動作によって、検知した床冷暖房ユニット２の騒音レベルが実際に通常モード時の騒音レベルよりも低いか否か判定するようにしても一向に構わない。
【００９５】
また、上記変形例においては、ユーザーによって上記「静音モード」が指定された場合を例に説明している。しかしながら、この発明はこれに限定されるものではなく、設置作業員が上記「静音モード」を指定した場合に、下ボタン４８の操作等によって段階的に循環ポンプ１７の回転数を変更可能にしても差し支えない。
【００９６】
また、上記実施の形態および変形例においては、循環ポンプ１７の回転数を変更する場合には、騒音レベルが１dＢ程度変化するように予められた回転数だけ変更するようにしているが、１dＢの変化に限定されるものではなく、適宜最良のdＢ数の変化に設定すればよい。
【００９７】
また、上記実施の形態および変形例においては、上記熱交換端末の一例としての床冷暖房パネルを用いる場合を例に挙げて説明しているが、床冷暖房パネルに限定されるものではない。例えば、天井冷暖房パネル,天井冷房パネル,天井暖房パネル,壁冷暖房パネル,壁冷房パネル,壁暖房パネルまたは室内設置型ラジエータ等であっても差し支えない。
【００９８】
また、上記実施の形態および変形例においては、暖房運転と冷房運転を行う温調システムについて説明したが、暖房運転または冷房運転の何れか一方のみを行う温調システムにこの発明を適用してもよい。
【００９９】
また、上記実施の形態および変形例においては、リモートコントローラ２６によって床冷暖房ユニット２を遠隔操作しているが、コントローラはこれに限らず、床冷暖房ユニットに設けられたコントローラであってもよい。
【０１００】
また、上記実施の形態および変形例においては、ポンプ回転数制御部１５aと回転数設定部１５bと騒音判定部１５cと流量判定部１５dとをソフトウェアで構成しているが、ポンプ回転数制御部と回転数設定部と騒音判定部と流量判定部との少なくとも１つをハードウェアで構成するようにしてもよい。
【０１０１】
また、上記実施の形態および変形例においては、床冷暖房ユニット２の水熱交換器８にプレート式水熱交換器を用いているが、二重管式水熱交換器などの他の水熱交換器を用いてもよい。
【０１０２】
また、上記実施の形態および変形例においては、熱源機１の冷媒回路に電動膨張弁６を用いているが、例えばキャピラリチューブを用いてもよい。
【０１０３】
また、上記実施の形態および変形例においては、熱源機用制御装置１４と床冷暖房ユニット用制御装置２の間の通信は、有線で行ってもよいし、無線で行ってもよい。
【０１０４】
また、上記実施の形態および変形例においては、開閉弁として第１〜第８熱動弁Ｖ１〜Ｖ８を用いた温調システムについて説明したが、開閉弁はこれ限らず、電磁弁などの他の開閉機構を用いてもよい。
【０１０５】
また、上記実施の形態および変形例においては、上記「静音モード」の指定は、上記リモートコントローラ２６で行うようにしている。しかしながら、この発明はリモートコントローラ２６に限定されるものではない。例えば、熱源機１に設けたディップスイッチ等で行うようにして差し支えない。
【０１０６】
また、上記実施の形態における他の変形例として、本温調システムを現地で設置する場合、熱源機１を屋内に設置する際に、例えば設置作業員が「屋内設置モード」を指定することによって、循環ポンプ１７の回転数が通常モードの場合よりも低下して通常モードでの騒音レベルよりも１dＢ程度下がるようにしてもよい。その場合、上記「屋内設置モード」は、上記「静音モード」を含む概念となる。ここで、上記「屋内設置モード」の指定は、上記実施の形態の場合と同様に、リモートコントローラ２６で行うようにしてもよいし、熱源機１に設けたディップスイッチ等で行うようにしてもよい。
【０１０７】
以上、この発明の具体的な実施の形態について説明したが、この発明は上記実施の形態および変形例に限定されるものではなく、この発明の範囲内で種々変更して実施することができる。
【符号の説明】
【０１０８】
１…熱源機
２…床冷暖房ユニット
３…圧縮機
４…四路切換弁
５…室外熱交換器
６…電動膨張弁
７…アキュムレータ
８…水熱交換器
９〜１２…第１〜第４温度センサ
１３…室外温度センサ
１４…熱源機用制御装置
１５…床冷暖房ユニット用制御装置
１５a…ポンプ回転数制御部
１５b…回転数設定部
１５c…騒音判定部
１５d…流量判定部
１６…膨張タンク
１７…循環ポンプ
１８…往きヘッダ
１９…戻りヘッダ
２０…水循環回路
２１,２２…第１,第２水温センサ
２３…冷媒温度センサ
２４…冷媒圧センサ
２５…騒音センサ
２６…リモートコントローラ
３１〜３８…第１〜第８水循環パイプ
４１…操作部
４２…表示部
４３…ゾーン選択ボタン
４４…表示切替ボタン
４５…運転/停止ボタン
４６…戻るボタン
４７…メニュー/決定ボタン
４８…上ボタン
４９…下ボタン
５０…右ボタン
５１…左ボタン
Ｐ１〜Ｐ８…第１〜第８床冷暖房パネル
Ｖ１〜Ｖ８…第１〜第８熱動弁
Ｖ９…水抜き栓
Ｆ１〜Ｆ８…第１〜第８流量センサ
Ｃ…ケーシング
【図１】
0006044626.tif 000002
【図２】
0006044626.tif 000003
【図３】
0006044626.tif 000004
【図４】
0006044626.tif 000005